(57)【特許請求の範囲】
【請求項１】
建物の壁面に並行し略円筒外面をなす把持棒部の端部に、終端において壁面への取付板部が形成されたブラケット部が壁面に向けて曲成され、該取付板部の裏面側には該取付板部表面に通じる壁面へのアンカー具を操作する狭い作業用窓が縦貫された固定座収容凹窟が形成され、該作業用窓の周縁部には該固定座収容凹窟に通じる固定ビス用の基部通孔が穿設されている手摺主体と、該固定座収容凹窟に嵌合する外形を有し、その裏面側に取付金具収容環状凹窟が形成され、中央部表裏方向に壁面へのアンカー具締付筒部が形成されると共に、該取付板部の該基部通孔に符合する中間部通孔が穿設された固定座と、該固定座の該取付金具収容環状凹窟に嵌合する形状を有し、該アンカー具締付筒部に符合する金具通孔が穿設されると共に、該基部通孔および該中間部通孔に符合する固定ビス用螺孔が形成された取付金具とを具備し、該取付金具を該取付金具収容環状凹窟に嵌合した該固定座が該手摺主体における該固定座収容凹窟に嵌合され、固定ビスが該取付板部の該基部通孔から該固定座の該中間部通孔を通過して該取付金具の該固定ビス用螺孔に螺合して締付けられた状態で、該取付板部の該作業用窓を利用して壁面へのアンカー具が該固定座の該アンカー具締付筒部上に締付けられたことを特徴とする建物用手摺の取付装置。
【請求項２】
建物の壁面に並行し略円筒外面をなす把持棒部の端部に、終端において壁面への取付板部が形成されたブラケット部が壁面に向けて曲成され、該取付板部の裏面側には該取付板部表面に通じる壁面へのアンカー具を操作する狭い作業用窓が縦貫された固定座収容凹窟が形成され、該作業用窓の周縁部には該作業用窓を挟んで該固定座収容凹窟に通じる固定ビス用の基部通孔が穿設されている手摺主体と、該固定座収容凹窟に嵌合する外形を有し、表裏方向に該取付板部の該基部通孔に符合する固定ビス用螺孔が設けられると共に、該固定ビス用螺孔の側方に壁面へのアンカー具締付孔が穿設された固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の該作業用窓を利用して壁面への該アンカー具が該固定座の該アンカー具締付孔上に締付けられたことを特徴とする建物用手摺の取付装置。
【請求項３】
建物の壁面に並行し略円筒外面をなす把持棒部の端部に、終端において壁面への取付板部が形成されたブラケット部が壁面に向って曲成され、該取付板部の裏面側には固定座収容凹窟が形成され、該固定座収容凹窟に於ける該取付板部には壁面へのアンカー具を操作するための該取付板部表面に通じる一対の作業用窓が離間して穿設されると共に、一対の該作業用窓間には該取付板部表面に通じる固定ビス用の基部通孔が穿設されている手摺主体と、該固定座収容凹窟に嵌合する外形を有し、表裏方向に該取付板部の該基部通孔に符合する固定ビス用螺孔が設けられると共に、該固定ビス用螺孔を挟んで該取付板部の一対の該作業用窓に符合し表裏方向に貫通する一対のアンカー具締付孔が穿設された固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の一対の該作業用窓を利用して壁面への一対の該アンカー具が該固定座の一対の該アンカー具締付孔上に締付けられたことを特徴とする建物用手摺の取付装置。
【請求項４】
建物の壁面に並行し略円筒外面をなす把持棒部の端部に、終端において壁面への取付板部が形成されたブラケット部が壁面に向って曲成され、該取付板部の裏面側には固定座収容凹窟が形成され、該固定座収容凹窟に於ける該取付板部の一側には壁面へのアンカー具を操作するための該取付板部表面に通じる作業用窓が穿設されると共に、該固定座収容凹窟に於ける該取付板部の他側には該取付板部表面に通じる固定ビス用の基部通孔が穿設されている手摺主体と、該固定座収容凹窟に嵌合する外形を有し、一側には該取付板部の該作業用窓に符合し表裏方向に貫通するアンカー具締付孔が穿設されると共に、他側には表裏方向に該取付板部の該基部通孔に符合する固定ビス用螺孔が設けられた固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の該作業用窓を利用して壁面への該アンカー具が該固定座の該アンカー具締付孔上に締付けられたことを特徴とする建物用手摺の取付装置。
【請求項５】
建物の壁面に並行し略円筒外面をなす把持棒部の端部に、終端において壁面への取付板部が形成されたブラケット部が壁面に向って曲成され、該取付板部の裏面側には固定座収容凹窟が形成され、該固定座収容凹窟に於ける該取付板部には壁面へのアンカー具を操作するための該取付板部表面に通じる作業用窓が穿設されると共に、該固定座収容凹窟に於ける内側面には該取付板部外側面に通じる固定ビス用の基部通孔が穿設されている手摺主体と、該固定座収容凹窟に嵌合する外形を有し、該取付板部の該作業用窓に符合し表裏方向に貫通するアンカー具締付孔が穿設されると共に、該基部通孔に符合する固定ビス用螺孔が該アンカー具締付孔と垂直方向に形成された固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の該作業用窓を利用して壁面へのアンカー具が該固定座の該アンカー具締付孔上に締付けられたことを特徴とする建物用手摺の取付装置。
【請求項６】
前記手摺主体は、無機繊維を混入して補強された合成樹脂によって一体的に成形されることを特徴とする請求項１乃至５のいずれか１項記載の建物用手摺の取付装置。
【請求項７】
前記把持棒部の両端側に同一の取付装置が設けられていることを特徴とする請求項１乃至６のいずれか１項記載の建物用手摺。
【請求項８】
建物の壁面に並行してＬ字状に配設される建物用手摺の交差する手摺隅部および離隔した各手摺末端部における取付装置において、手摺交差隅部では、略円筒外面をなす各把持棒部の近接した各端部が該把持棒部において切断された該手摺主体と、近接する双方の該把持棒部の各端部に挿入して支持する支持突起がそれぞれ直角状外方に突設された隅部支持体部が隅部取付板部上に立設され、該隅部取付板部の裏面側には隅部固定座収容凹窟が形成され、該隅部取付板部から該隅部固定座収容凹窟に通じる隅部固定ビス用の隅部基部通孔が穿設されている隅部ブラケットと、該隅部固定座収容凹窟に嵌合する外形を有し、その裏面側に隅部取付金具収容凹窟が形成され、該隅部取付金具収容凹窟の外側表裏方向に壁面への隅部アンカー具締付孔が穿設されると共に、該隅部取付板部の該隅部基部通孔に符合する隅部中間部通孔が穿設された隅部固定座と、該隅部固定座の該隅部取付金具収容凹窟に嵌合する外形を有し、該隅部基部通孔および該隅部中間部通孔に符合する隅部固定ビス用螺孔が形成された隅部取付金具とを具備し、該各把持棒部の近接する各端部が該隅部ブラケットにおける該隅部支持体部の該支持突起にそれぞれ嵌合固定され、該隅部取付金具を該隅部取付金具収容凹窟に嵌合した該隅部固定座の該隅部アンカー具締付孔上に壁面への該隅部アンカー具が締付けられ、該隅部ブラケットの該隅部固定座収容凹窟に該隅部固定座が嵌合され、隅部固定ビスが該隅部取付板部の該隅部基部通孔から該隅部固定座の該隅部中間部通孔を通過させて該隅部取付金具の該隅部固定ビス用螺孔に螺合して締付けられ、他方、各手摺末端部では、略円筒外面をなす該把持棒部の離隔した端部に、終端において壁面への取付板部が形成されたブラケット部が壁面に向けて曲成され、該取付板部の裏面側には該取付板部上面に通じる壁面への該アンカー具を操作する狭い作業用窓が縦貫された固定座収容凹窟が形成され、該作業用窓の周縁部には該固定座収容凹窟に通じる固定ビス用の基部通孔が穿設されている手摺主体と、該固定座収容凹窟に嵌合する外形を有し、その裏面側に取付金具収容環状凹窟が形成され、中央部表裏方向に壁面へのアンカー具締付筒部が形成されると共に、該取付板部の該基部通孔に符合する中間部通孔が穿設された固定座と、該固定座の該取付金具収容環状凹窟に嵌合する形状を有し、該アンカー具締付筒部に符合する金具通孔が穿設されると共に、該基部通孔および該中間部通孔に符合する固定ビス用螺孔が形成された取付金具とを具備し、該取付金具を該取付金具収容環状凹窟に嵌合した該固定座が該手摺主体における該固定座収容凹窟に嵌合され、固定ビスが該取付板部の該基部通孔から該固定座の該中間部通孔を通過して該取付金具の該固定ビス用螺孔に螺合して締付けられた状態で、該取付板部の該作業用窓を利用して壁面への該アンカー具が該固定座の該アンカー具締付筒部上に締付けられることを特徴とする建物用手摺の取付装置。
【請求項９】
建物の壁面に並行してＬ字状に配設される建物用手摺の交差する手摺隅部および離隔した各手摺末端部における取付装置において、手摺交差隅部では、略円筒外面をなす各把持棒部の近接した各端部が該把持棒部において切断された該手摺主体と、近接する双方の該把持棒部の各端部に挿入して支持する支持突起がそれぞれ直角状外方に突設された隅部支持体部が隅部取付板部上に立設され、該隅部取付板部の裏面側には隅部固定座収容凹窟が形成され、該隅部取付板部から該隅部固定座収容凹窟に通じる隅部固定ビス用の隅部基部通孔が穿設されている隅部ブラケットと、該隅部固定座収容凹窟に嵌合する外形を有し、表裏方向に該隅部取付板部の該隅部基部通孔に符合する隅部固定ビス用螺孔が設けられると共に、該隅部固定ビス用螺孔の側方に壁面への隅部アンカー具締付孔が穿設された隅部固定座とを具備し、該各把持棒部の近接する各端部が該隅部ブラケットにおける該隅部支持体部の該支持突起にそれぞれ嵌合固定され、該隅部固定座の該隅部アンカー具締付孔上に壁面への該隅部アンカー具が締付けられ、該隅部ブラケットの該隅部固定座収容凹窟に該隅部固定座が嵌合され、隅部固定ビスが該隅部取付板部の該隅部基部通孔から該隅部固定座の該隅部固定ビス用螺孔に螺合して締付けられ、他方、各手摺末端部では、略円筒外面をなす該把持棒部の離隔した端部に、終端において壁面への取付板部が形成されたブラケット部が壁面に向けて曲成され、該取付板部の裏面側には該取付板部上面に通じる壁面への該アンカー具を操作する狭い作業用窓が縦貫された固定座収容凹窟が形成され、該作業用窓の周縁部には該固定座収容凹窟に通じる固定ビス用の基部通孔が穿設されている手摺主体と、該固定座収容凹窟に嵌合する外形を有し、表裏方向に該取付板部の該基部通孔に符合する固定ビス用螺孔が設けられると共に、該固定ビス用螺孔の側方に壁面へのアンカー具締付孔が穿設された固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の該作業用窓を利用して壁面への該アンカー具が該固定座の該アンカー具締付孔上に締付けられたことを特徴とする建物用手摺の取付装置。
【発明の詳細な説明】
【０００１】
【発明の属する技術分野】
本発明は、建物に設置する手摺、特に浴室、洗面所、便所等の壁面に設置される建物用手摺に関する。
【０００２】
【従来の技術】
浴室、洗面所、便所等において浴槽、洗面設備、便器等の衛生器具に近接した建物壁面に設置される手摺は、特に老人用施設や身体障害者用施設等では重要であるが、前記衛生器具は、湿気や熱等による影響や使用者が直接接触する力学的影響等によって劣化や破損し、屡々衛生器具の修理や新品交換を行う場合が発生する。その際に前記衛生器具に近接して設置される手摺が衛生器具の修理や新品交換の作業に邪魔になり、手摺を一時的に取外して作業を行わなければならない事例が生じる。しかしながら従来製品では、手摺を取外す場合には、手摺ブラケットを取付けた壁面へのアンカー螺子を抜去するのが常套手段であり、前記衛生器具の修理乃至新品交換後手摺を再設置する場合に、使用されていた建物壁の同一アンカー螺子孔を再使用することが考えられるが、アンカー螺子抜去の際に孔壁が崩壊しているので、再設置した手摺の使用中にアンカー螺子が抜出して手摺が脱落する虞がある。手摺脱落の危険性を避けるために別位置にアンカー螺子を移すことは、衛生器具に対する手摺の正規設置位置を変更することになり、不合理であるばかりでなく、建物の壁仕上げ材の補修等手間のかかる作業を行わなければならない。
【０００３】
【発明が解決しようとする課題】
本発明が解決しようとする課題は、設置時には手摺を建物壁面に取付けるためのアンカー具を通常の取付作業によって設置し、手摺を一時取外す必要のある作業の際には、手摺設置当初に壁面に止着したアンカー具を抜去しないで手摺本体部分を取外すことができ、手摺の再設置時に手摺設置当初のアンカー具をそのまま利用することができる建物用手摺の取付装置を提供することにある。
【０００４】
【課題を解決するための手段】
前記課題を解決するために、本発明に係る建物用手摺の取付装置は、建物の壁面に並行し略円筒外面をなす把持棒部の端部に、終端において壁面への取付板部が形成されたブラケット部が壁面に向けて曲成され、該取付板部の裏面側には該取付板部表面に通じる壁面へのアンカー具を操作する狭い作業用窓が縦貫された固定座収容凹窟が形成され、該作業用窓の周縁部には該固定座収容凹窟に通じる固定ビス用の基部通孔が穿設されている手摺主体と、該固定座収容凹窟に嵌合する外形を有し、その裏面側に取付金具収容環状凹窟が形成され、中央部表裏方向に壁面へのアンカー具締付筒部が形成されると共に、該取付板部の該基部通孔に符合する中間部通孔が穿設された固定座と、該固定座の該取付金具収容環状凹窟に嵌合する形状を有し、該アンカー具締付筒部に符合する金具通孔が穿設されると共に、該基部通孔および該中間部通孔に符合する固定ビス用螺孔が形成された取付金具とを具備し、該取付金具を該取付金具収容環状凹窟に嵌合した該固定座が該手摺主体における該固定座収容凹窟に嵌合され、固定ビスが該取付板部の該基部通孔から該固定座の該中間部通孔を通過して該取付金具の該固定ビス用螺孔に螺合して締付けられ状態で、該取付板部の該作業用窓を利用して壁面への該アンカー具が該固定座の該アンカー具締付筒部上に締付けられたことを主な特徴とする。
【０００５】
また固定座に直接固定ビス用螺孔を設けて部品点数を少ない態様として、本発明にかかる建物用手摺の取付装置は、建物の壁面に並行し略円筒外面をなす把持棒部の端部に、終端において壁面への取付板部が形成されたブラケット部が壁面に向けて曲成され、該取付板部の裏面側には該取付板部表面に通じる壁面へのアンカー具を操作する狭い作業用窓が縦貫された固定座収容凹窟が形成され、該作業用窓の周縁部には該作業用窓を挟んで該固定座収容凹窟に通じる固定ビス用の基部通孔が穿設されている手摺主体と、該固定座収容凹窟に嵌合する外形を有し、表裏方向に該取付板部の該基部通孔に符合する固定ビス用螺孔が設けられると共に、該固定ビス用螺孔の側方に壁面へのアンカー具締付孔が穿設された固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の該作業用窓を利用して壁面への該アンカー具が該固定座の該アンカー具締付孔上に締付けられたことを特徴とする。
【０００６】
さらに取付構造が異なる態様として、本発明にかかる建物用手摺の取付装置は、建物の壁面に並行し略円筒外面をなす把持棒部の端部に、終端において壁面への取付板部が形成されたブラケット部が壁面に向って曲成され、該取付板部の裏面側には固定座収容凹窟が形成され、該固定座収容凹窟に於ける該取付板部には壁面へのアンカー具を操作するための該取付板部表面に通じる一対の作業用窓が離間して穿設されると共に、一対の該作業用窓間には該取付板部表面に通じる固定ビス用の基部通孔が穿設されている手摺主体と、該固定座収容凹窟に嵌合する外形を有し、表裏方向に該取付板部の該基部通孔に符合する固定ビス用螺孔が設けられると共に、該固定ビス用螺孔を挟んで該取付板部の一対の該作業用窓に符合し表裏方向に貫通する一対のアンカー具締付孔が穿設された固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の一対の該作業用窓を利用して壁面への一対の該アンカー具が該固定座の一対の該アンカー具締付孔上に締付けられたことを特徴とする。
【０００７】
また取付構造が異なる他の態様として、本発明にかかる建物用手摺の取付装置は、建物の壁面に並行し略円筒外面をなす把持棒部の端部に、終端において壁面への取付板部が形成されたブラケット部が壁面に向って曲成され、該取付板部の裏面側には固定座収容凹窟が形成され、該固定座収容凹窟に於ける該取付板部の一側には壁面へのアンカー具を操作するための該取付板部表面に通じる作業用窓が穿設されると共に、該固定座収容凹窟に於ける該取付板部の他側には該取付板部表面に通じる固定ビス用の基部通孔が穿設されている手摺主体と、該固定座収容凹窟に嵌合する外形を有し、一側には該取付板部の該作業用窓に符合し表裏方向に貫通するアンカー具締付孔が穿設されると共に、他側には表裏方向に該取付板部の該基部通孔に符合する固定ビス用螺孔が設けられた固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の該作業用窓を利用して壁面への該アンカー具が該固定座の該アンカー具締付孔上に締付けられたことを特徴とする。
【０００８】
さらに取付構造が異なる他の態様として、本発明にかかる建物用手摺の取付装置は、建物の壁面に並行し略円筒外面をなす把持棒部の端部に、終端において壁面への取付板部が形成されたブラケット部が壁面に向って曲成され、該取付板部の裏面側には固定座収容凹窟が形成され、該固定座収容凹窟に於ける該取付板部には壁面へのアンカー具を操作するための該取付板部表面に通じる作業用窓が穿設されると共に、該固定座収容凹窟に於ける内側面には該取付板部外側面に通じる固定ビス用の基部通孔が穿設されている手摺主体と、該固定座収容凹窟に嵌合する外形を有し、該取付板部の該作業用窓に符合し表裏方向に貫通するアンカー具締付孔が穿設されると共に、該基部通孔に符合する固定ビス用螺孔が該アンカー具締付孔と垂直方向に形成された固定座とを具備し、該固定座が該固定座収容凹窟に嵌合され、固定ビスが該取付板部の該基部通孔から該固定座の該固定ビス用螺孔に螺合して締付けられた状態で、該取付板部の該作業用窓を利用して壁面へのアンカー具が該固定座の該アンカー具締付孔上に締付けられたことを特徴とする。
【０００９】
また本発明に係る建物用手摺の取付装置は、その手摺主体がガラス繊維で補強した合成樹脂で一体的に成形されていることや、前記把持棒部の両端部に前記ブラケット部が曲成されていて、両端の前記ブラケット部を壁面に取付ける態様を含むことを特徴とする。
【００１０】
さらに建物壁面に並行してＬ字状に配設される建物用手摺においても、手摺隅部および手摺末端部におけるすべてのアンカー具すべてについて、それらを抜去することなく手摺本体部分を取外すことができ、手摺の再設置時に手摺設置当初のアンカー具をそのまま利用することができるように、本発明に係る建物用手摺の取付装置は、建物の壁面に並行してＬ字状に配設される建物用手摺の交差する手摺隅部および離隔した各手摺末端部における取付装置において、手摺交差隅部では、略円筒外面をなす各把持棒部の近接した各端部が該把持棒部において切断された該手摺主体と、近接する双方の該把持棒部の各端部に挿入して支持する支持突起がそれぞれ直角状外方に突設された隅部支持体部が隅部取付板部上に立設され、該隅部取付板部の裏面側には隅部固定座収容凹窟が形成され、該隅部取付板部から該隅部固定座収容凹窟に通じる隅部固定ビス用の隅部基部通孔が穿設されている隅部ブラケットと、該隅部固定座収容凹窟に嵌合する外形を有し、その裏面側に隅部取付金具収容凹窟が形成され、該隅部取付金具収容凹窪の外側表裏方向に壁面への隅部アンカー具締付孔が穿設されると共に、該隅部取付板部の該隅部基部通孔に符合する隅部中間部通孔が穿設された隅部固定座と、該隅部固定座の該隅部取付金具収容凹窟に嵌合する外形を有し、該隅部基部通孔および該隅部中間部通孔に符合する隅部固定ビス用螺孔が形成された隅部取付金具とを具備し、該隅部取付金具を該隅部取付金具収容凹窟に嵌合した該隅部固定座の該隅部アンカー具締付孔上に壁面への該隅部アンカー具が締付けられ、該隅部ブラケットの該隅部固定座収容凹窟に該隅部固定座が嵌合され、隅部固定ビスが該隅部取付板部の該隅部基部通孔から該隅部固定座の該隅部中間部通孔を通過させて該隅部取付金具の該隅部固定ビス用螺孔に螺合して締付けられ、該各把持棒部の近接する各端部が該隅部ブラケットにおける該隅部支持体部の該支持突起にそれぞれ嵌合固定され、他方、各手摺末端部では、略円筒外面をなす該把持棒部の離隔した端部に、終端において壁面への取付板部が形成されたブラケット部が壁面に向けて曲成され、該取付板部の裏面側には該取付板部上面に通じる壁面へのアンカー具を操作する狭い作業用窓が縦貫された固定座収容凹窟が形成され、該作業用窓の周縁部には該固定座収容凹窟に通じる固定ビス用の基部通孔が穿設されている手摺主体と、該固定座収容凹窟に嵌合する外形を有し、その裏面側に取付金具収容環状凹窟が形成され、中央部表裏方向に壁面へのアンカー具締付筒部が形成されると共に、該取付板部の該基部通孔に符合する中間部通孔が穿設された固定座と、該固定座の該取付金具収容環状凹窟に嵌合する形状を有し、該アンカー具締付筒部に符合する金具通孔が穿設されると共に、該基部通孔および該中間部通孔に符合する固定ビス用螺孔が形成された取付金具とを具備し、該取付金具を該取付金具収容環状凹窟に嵌合した該固定座が該手摺主体における該固定座収容凹窟に嵌合され、固定ビスが該取付板部の該基部通孔から該固定座の該中間部通孔を通過して該取付金具の該固定ビス用螺孔に螺合して締付けられた状態で、該取付板部の該作業用窓を利用して壁面への該アンカー具が該固定座の該アンカー具締付筒部上に締付けられることを特徴とする。
【００１１】
また建物壁面に並行してＬ字状に配設される建物用手摺においても、手摺隅部および手摺末端部におけるすべてのアンカー具すべてについて、それらを抜去することなく手摺本体部分を取外すことができ、手摺の再設置時に手摺設置当初のアンカー具をそのまま利用することができるようにすると共に、固定座に直接固定ビス用螺孔を設けて部品点数を減少させた態様として、本発明に係る建物用手摺の取付装置は、建物の壁面に並行してＬ字状に配設される建物用手摺の交差する手摺隅部および離隔した各手摺末端部における取付装置において、手摺交差隅部では、略円筒外面をなす各把持棒部の近接した各端部が該把持棒部において切断された該手摺主体と、近接する双方の該把持棒部の各端部に挿入して支持する支持突起がそれぞれ直角状外方に突設された隅部支持体部が隅部取付板部上に立設され、該隅部取付板部の裏面側には隅部固定座収容凹窟が形成され、該隅部取付板部から該隅部固定座収容凹窟に通じる隅部固定ビス用の隅部基部通孔が穿設されている隅部ブラケットと、該隅部固定座収容凹窟に嵌合する外形を有し、表裏方向に該隅部取付板部の該隅部基部通孔に符合する隅部固定ビス用螺孔が設けられると共に、該隅部固定ビス用螺孔の側方に壁面への隅部アンカー具締付孔が穿設された隅部固定座とを具備し、該各把持棒部の近接する各端部が該隅部ブラケットにおける該隅部支持体部の該支持突起にそれぞれ嵌合固定され、該隅部固定座の該隅部アンカー具締付孔上に壁面への該隅部アンカー具が締付けられ、該隅部ブラケットの該隅部固定座収容凹窟に該隅部固定座が嵌合され、隅部固定ビスが該隅部取付板部の該隅部基部通孔から該隅部固定座の該隅部固定ビス用螺孔に螺合して締付けられ、他方、各手摺末端部では、略円筒外面をなす該把持棒部の離隔した端部に、終端において壁面への取付板部が形成されたブラケット部が壁面に向けて曲成され、該取付板部の裏面側には該取付板部上面に通じる壁面への該アンカー具を操作する狭い作業用窓が縦貫された固定座収容凹窟が形成され、該作業用窓の周縁部には該固定座収容凹窟に通じる固定ビス用の基部通孔が穿設されている手摺主体と、該固定座収容凹窟に嵌合する外形を有し、表裏方向に該取付板部の該基部通孔に符合する固定ビス用螺孔が設けられると共に、該固定ビス用螺孔の側方に壁面へのアンカー具締付孔が穿設された固定座とを具備し、該固定座が該手摺主体における該固定座収容凹窟に嵌合され、固定ビスが該取付板部の該基部通孔から該固定座の該固定ビス用螺孔に螺合して締付けられた状態で、該取付板部の該作業用窓を利用して壁面への該アンカー具が該固定座の該アンカー具締付孔上に締付けられたことを特徴とする。
【００１２】
【発明の実施の形態】
本発明の実施の形態について添付図面を参照して説明する。
図１は本発明に係る建物用手摺における第１の実施形態の斜視図であって、浴室、洗面所、便所等において浴槽、洗面器具、便器等の衛生器具に近接した建物の壁面Ｗに設置された一般的に補助手摺と称される直線状の建物用手摺が示されている。手摺は壁面Ｗと並行し略円筒外面をなす把持棒部２の端部に、壁面Ｗへの取付のためのブラケット部３が一体的に形成された手摺主体１と、ブラケット部３内部に設けられた壁面Ｗへの取付装置を操作するためにブラケット部３に取外し可能なキャップ４とよりなる。手摺主体１は鉱物繊維を混入した熱可塑性樹脂、特にガラス繊維を混入したナイロン樹脂を射出成形して把持棒部２とブラケット部３とが一体的に製造されるので、充分な耐力を有する製品を容易に得ることができる。図１に示される建物用手摺は把持棒部２の両端部にブラケット部３，３が形成されるので、手摺主体１は全体的に一体的に製造され、防水性が良好で力学的に丈夫な建物用手摺を安価に得ることができる。
【００１３】
図２乃至図６は、図１に示された手摺の一端部についての詳細が示されているが、第１の実施形態のみならず、後述する第２の実施形態であるＬ字状手摺における手摺末端部における詳細も全く同一の構成を有する。手摺主体１において壁面Ｗと並行し略円筒外面を有する把持棒部２の終端には、先端において壁面Ｗへの略長円形平面をなす取付板部５が形成されたブラケット部３が壁面Ｗに向けて曲成されており、また把持棒部２の端部からブラケット部３の全長にわたる外側半周面には、取付板部５を壁面に止着するアンカー具操作用空隙６が凹設されている凸面状凹陥部７が形成されており、凸面状凹陥部７上に手摺の滑らかな外表面を現出するように略円弧状断面で取外し可能なキャップ４が被覆され適宜の係止手段により係着されている。手摺の壁面Ｗへの設置に使用されるアンカー具には種々な手段が採用されるが、この実施形態では、アンカー螺子８が使用されている。
【００１４】
次に本発明の特徴とする壁面Ｗへの取付装置について説明すると、手摺主体１において取付板部５の裏面側には、取付板部５の表面に通じているアンカー螺子８を操作するための作業用窓９が縦貫された固定座収容凹窟１０が形成され、作業用窓９の周縁部にはこの作業用窓９を挟んで一対の基部通孔１１，１１が穿孔されている。そしてこの固定座収容凹窟１０に嵌合される固定座１２は、固定座収容凹窟１０に嵌合する外形を有し、その裏面側に取付金具収容環状凹窟１３が形成され、中央部表裏方向に壁面Ｗへのアンカー具締付筒部１４が形成され、取付板部５の基部通孔１１，１１に符合する一対の中間部通孔１５，１５が穿設されている。さらに取付金具収容環状凹窟１３に収容される取付金具１６は、取付金具収容環状凹窟１３に嵌合する形状を有し、アンカー具締付筒部１４に符合する金具通孔１７が穿設され、基部通孔１１，１１および中間部通孔１５，１５に符合する一対の固定ビス用螺孔１８，１８が形成されている。出荷状態の製品では、取付金具１６を取付金具収容環状凹窟１３に嵌合した固定座１２が手摺主体１における固定座収容凹窟１０に嵌合され、固定ビス１９，１９が取付板部５の基部通孔１１，１１から固定座１２の中間部通孔１５，１５を通過して取付金具１６の固定ビス用螺孔１８，１８に螺合して締付けられた状態で用意されることが好ましい。
【００１５】
図１に示されるような手摺を壁面Ｗに設置する場合には、キャップ４を外した前記出荷状態の製品の取付板部５を壁面Ｗの設置個所に当接し、作業用窓９を通じて固定座１２のアンカー具締付筒部１４をアンカー螺子８の取付位置に合致させた上で、アンカー螺子８を壁面Ｗに対して締付ける。アンカー具締付筒部１４が手摺主体１と一体化された状態で壁面Ｗに位置決めされ、且つアンカー螺子８が止着されるので、固定座を手摺主体から分離して壁面に取付ける場合のように手摺主体に対するアンカー具の位置の誤りを生じることがなく、アンカー螺子８の締付けは容易である。壁面取付の終了した手摺主体１にはキャップ４を被覆係着して手摺取付作業は終了する。
【００１６】
次に、衛生器具の修理や新品交換を行う場合等で、衛生器具に近接して設置される手摺が衛生器具の修理や新品交換の作業に邪魔になり、手摺を一時的に取外す場合には、キャップ４を外した手摺主体１における取付板部５の基部通孔１１，１１上の固定ビス１９，１９を緩めて取外し、アンカー螺子８で壁面Ｗに止着されている固定座１２を壁面Ｗ上に残留させたまま取付板部５の固定座収容凹窟１０から固定座１２を脱嵌合させて手摺主体１を取外す。締付けられたアンカー螺子８は壁面Ｗから抜去されないので、アンカー螺子８の抜去による建物のアンカー具挿入孔壁の崩壊が生じることがない。壁面Ｗにはわずかに固定座１２が残留するのみで衛生器具の修理や新品交換に支障を生じることがない。衛生器具の修理や新品交換が終了して、手摺主体１を壁面に再取付する場合には、最初に壁面Ｗに止着されている固定座１２に対し手摺主体１における固定座収容凹窟１０を嵌合させる。最初に手摺を取付けた際に固定座１２は手摺主体１の固定座収容凹窟１０の位置に自動的に設定されているから、固定座１２に対する固定座収容凹窟１０の新たな位置決め等は必要なく固定座１２の嵌合は容易である。次に固定ビス１９，１９を取付板部５の基部通孔１１，１１から固定座１２の中間部通孔１５，１５を通過させて取付金具１６の固定ビス用螺孔１８に螺合して締付ければ、手摺の再取付が容易に遂行される。
【００１７】
なお前記のように別体の取付金具１６を使用せず、固定座１２自体に固定ビス用螺孔１８，１８を設けて、直接固定ビス１９，１９を固定座１２に締付ける態様も含まれる。固定座１２自体に固定用ビス用螺孔を設けるには、固定座１２自体に螺溝を形成する手段や、固定座１２にナットを埋込む手段が採用され、固定座１２自体に固定ビス用螺孔が設けられる態様では、部品点数を減少させることができる。この場合にアンカー具締付筒部１４に相当するアンカー具締付孔は固定ビス用螺孔１８，１８の側方に穿設される。
【００１８】
次に第２の実施形態について説明する。図７に示されるような、壁面Ｗに並行してＬ字状に配設される建築用手摺が取付けられる場合でも、同様に衛生器具に近接して設置される手摺が衛生器具の修理や新品交換の作業に邪魔になり、衛生器具の修理や新品交換の際に手摺を一時的に取外して作業を行わなければならない事例が生じる。そこでＬ字状手摺の両手摺末端部においては、前記した第１の実施形態と同様なアンカー具の抜去による建物のアンカー具挿入孔壁の崩壊が生じることのない手摺の一時的取外しが可能な取付装置を利用すると同時に、一対の把持棒部２、２が交差する手摺隅部においては以下に説明する隅部ブラケット２３を使用してアンカー具の抜去による建物のアンカー具挿入孔壁の崩壊が生じることのない手摺の一時的取外しが可能な取付装置を利用して行う。
【００１９】
図８乃至図１２には、隅部ブラケット２３およびそれに関連する部品等の詳細が示されている。図８に示されるように、隅部では各手摺主体１，１の円筒外面をなす各把持棒部２、２の近接した各端部はそのまま切断され、一体的なブラケットは形成されていない。隅部ブラケット２３には、これらの把持棒部２，２の各端部に挿入して支持する支持突起２４，２４がそれぞれ直角状外方に突設された隅部支持体部２５が隅部取付板部２６上に立設され、隅部取付板部２６の裏面側には隅部固定座収容凹窟２７が形成され、隅部取付板部２６から隅部固定座収容凹窟２７に通じる隅部固定ビス２８、２８を締付けるための隅部基部通孔２９，２９が斜め方向に穿設されている。また隅部固定座収容凹窟２７に収容される隅部固定座３０は、隅部固定座収容凹窟２７に嵌合する外形を有し、その裏面側に隅部取付金具収容凹窟３１が形成され、隅部取付金具収容凹窟３１の外側における隅部固定座台部３４には表裏方向に壁面Ｗへの隅部アンカー具締付孔３２が穿設されると共に、隅部固定座３０の隅部基部通孔２９，２９に符合する隅部中間部通孔３３，３３が穿設されている。隅部取付金具収容凹窟３１に収容される隅部取付金具３５は、隅部取付金具収容凹窟３１に嵌合する外形を有し、隅部基部通孔２９，２９および隅部中間部通孔３３，３３に符合する隅部固定ビス用螺孔３６，３６が形成されている。
【００２０】
そしてＬ字状手摺を壁面Ｗに設置するには、隅部支持体部２５における支持突起２４，２４に双方の手摺主体１，１の切断された把持棒部２，２の端部を挿入して固定した隅部ブラケット２３の位置決めから開始される。位置決め後に隅部ブラケット２３と分離された隅部固定座３０を、隅部ブラケット２３の設置位置に対応する位置に取付ける。先ず隅部取付金具３５を隅部取付金具収容凹窟３１に嵌合した隅部固定座３０の隅部アンカー具締付孔３２上に壁面Ｗへの隅部アンカー具である隅部アンカー螺子３７が締付けられることにより隅部固定座３０が壁面Ｗに取付けられる。次いで隅部ブラケット２３の隅部固定座収容凹窟２７に隅部固定座３０を嵌合させ、隅部固定ビス２８，２８を隅部取付板部２６の隅部基部通孔２９，２９から隅部固定座３０の隅部中間部通孔３３，３３を通過させて隅部取付金具３５の隅部固定ビス用螺孔３６，３６に螺合させて締付けられることにより隅部ブラケット２３は壁面Ｗに取付けられる。隅部支持体部２５の隅部取付板部２６を望む箇所には隅部固定ビス２８，２８を操作する目的で一対の隅部操作孔３８，３８が穿設されており、隅部ブラケット２３の取付後に隅部操作孔３８，３８は隅部蓋体３９，３９によって閉塞される。
【００２１】
それぞれの手摺主体１の末端部にはブラケット部３が一体的に形成されているので、前記した第１の実施形態で説明したように、その取付板部５に嵌合されている固定座１２におけるアンカー具締付筒部１４の位置が自ずから設定される。第１の実施形態における取付作業と同様な作業で、壁面Ｗ上の設置位置にアンカー具締付筒部１４を合致させて、それぞれのアンカー具締付筒部１４にそれぞれアンカー螺子８を締付けて各手摺末端部における手摺の壁面Ｗへの取付を終了する。このように隅部ブラケット２３の取付位置と各手摺主体１，１の長さを設定することによって各手摺末端部の設置位置が自動的に決定されるから、位置決めの手間を減少させることができる。
【００２２】
次に、衛生器具の修理や新品交換を行う場合等で、衛生器具に近接して設置されるＬ字状手摺が衛生器具の修理や新品交換の作業に邪魔になり、Ｌ字状手摺を一時的に取外す場合に、各手摺末端部における手摺主体１，１の各ブラケット部３の壁面Ｗからの取外し作業は、第１の実施形態での作業と同様に行えばよい。隅部において隅部ブラケット２３を取外すには、隅部蓋体３９，３９を外した隅部ブラケット２３の隅部操作孔３８，３８から隅部取付板部２６上の隅部固定ビス２８，２８を緩めて取外し、隅部アンカー螺子３７で壁面Ｗに止着されている隅部固定座３０を壁面Ｗ上に残留させたまま隅部取付板部２６の隅部固定座収容凹窟２７から隅部固定座３０を脱嵌合させて隅部ブラケット２３を取外す。締付けられた隅部アンカー螺子３７は壁面Ｗから抜去されないので、隅部アンカー螺子３７の抜去による建物のアンカー具挿入孔壁の崩壊が生じることがない。Ｌ字状手摺を取外した壁面Ｗには、わずかに固定座１２と隅部固定座３０が残留するのみで衛生器具の修理や新品交換に支障を生じることがない。衛生器具の修理や新品交換が終了して、Ｌ字状手摺を壁面に再取付する場合には、隅部においては壁面Ｗに止着されている隅部固定座３０に対し隅部ブラケット２３における隅部固定座収容凹窟２７を嵌合させ、その後は前記した隅部ブラケットの取付作業と同様な作業を行って再取付を行い、また手摺末端部では第１の実施形態と同様な再取付作業で再取付を行う。最初に手摺を取付けた際に固定座１２および隅部固定座３０は再設定の位置に既に設定されているから、固定座１２および隅部固定座３０に対する固定座収容凹窟１０および隅部固定座収容凹窟２７の新たな位置決め等は必要なく固定座１２および隅部固定座３０の嵌合は容易に行うことができる。
【００２３】
なお前記のように別体の隅部取付金具３５を使用せず、隅部固定座３０自体に隅部固定ビス用螺孔３６，３６を設けて、直接隅部固定ビス２８，２８を隅部固定座３０に締付ける態様も含まれる。隅部固定座３０自体に隅部固定用ビス用螺孔３６を設けるには、隅部固定座３０自体に螺溝を形成する手段や、隅部固定座３０にナットを埋込む手段等が採用され、隅部固定座３０自体に隅部固定ビス用螺孔３６が設けられる態様では、部品点数を減少させることができる。隅部アンカー具締付孔３２は隅部固定ビス用螺孔３６，３６の側方に穿設される。
【００２４】
図１３乃至図１５には第３実施形態が示され、この第３実施形態は、第１実施形態と同種の態様であって、把持棒部の端部に、終端において壁面への取付板部が形成されたブラケット部が曲成された取付装置に関する態様である。手摺主体１において壁面Ｗと並行し略円筒外面を有する把持棒部２の終端には、先端において壁面Ｗへの略長円形平面をなす取付板部５が形成されたブラケット部３が壁面Ｗに向けて曲成されており、また把持棒部２の端部からブラケット部３の全長にわたる外側半周面には、取付板部５を壁面に止着するアンカー具操作用空隙６が凹設されている凸面状凹陥部７が形成されており、凸面状凹陥部７上に手摺の滑らかな外表面を現出するように略円弧状断面で取外し可能なキャップ４が被覆され適宜の係止手段により係着されている点では第１実施形態と同様である。第３実施形態での壁面Ｗへの取付装置について説明すると、手摺主体１において取付板部５の裏面側には、一対のアンカー具であるアンカー螺子８ａ，８ａを操作するための取付板部５の表面に通じている一対の作業用窓９ａ，９ａが離間して、さらに詳細には把持棒部２の長さ方向に離間して穿設された固定座収容凹窟１０ａが形成され、一対の作業用窓９ａ，９ａ間には取付板部５の表面に通じている固定ビス１９ａ用の基部通孔１１ａが穿孔されている。
【００２５】
そしてこの固定座収容凹窟１０ａに嵌合される固定座１２ａは、固定座収容凹窟１０ａに嵌合する外形を有し、表裏方向に取付板部５の基部通孔１１ａに符合する固定ビス用螺孔１８ａが設けられると共に、固定ビス用螺孔１８ａを挟んで取付板部５の一対の作業用窓９ａ，９ａに符合し表裏方向に貫通する一対のアンカー具締付孔４１ａ，４１ａが穿設されている。出荷状態の製品では、固定座１２ａが手摺主体１における固定座収容凹窟１０ａに嵌合され、固定ビス１９ａが取付板部５の基部通孔１１ａから固定座１２ａの固定ビス用螺孔１８ａに螺合して締付けられた状態で用意されることが好ましい。
【００２６】
第３実施形態の手摺を壁面Ｗに設置する方法も第１実施形態とほぼ同様であって、キャップ４を外した製品の取付板部５を壁面Ｗの設置個所に当接し、作業用窓９ａ，９ａを通じて固定座１２ａのアンカー具締付孔４１ａ，４１ａをアンカー螺子８ａ，８ａの取付位置に合致させた上で、アンカー螺子８ａ，８ａを壁面Ｗに対して締付ける。アンカー具締付孔４１ａ，４１ａが手摺主体１と一体化された状態で壁面Ｗに位置決めされ、且つアンカー螺子８ａ，８ａが止着されるので、固定座を手摺主体から分離して壁面に取付ける場合のように手摺主体に対するアンカー具の位置の誤りを生じることがなく、アンカー螺子８ａ，８ａの締付けは容易である。壁面取付の終了した手摺主体１にはキャップ４を被覆係着して手摺取付作業は終了する。手摺を一時的に取外す場合には、第１実施形態と同様に、キャップ４を外した手摺主体１における取付板部５の基部通孔１１ａ上の固定ビス１９ａを緩めて取外し、アンカー螺子８ａ，８ａで壁面Ｗに止着されている固定座１２ａを壁面Ｗ上に残留させたまま取付板部５の固定座収容凹窟１０ａから固定座１２ａを脱嵌合させて手摺主体１を取外す。
【００２７】
締付けられたアンカー螺子８ａ，８ａは壁面Ｗから抜去されないので、抜去による建物のアンカー具挿入孔壁の崩壊が生じることがない。壁面Ｗにはわずかに固定座１２ａが残留するのみで衛生器具の修理や新品交換に支障を生じることがない。衛生器具の修理や新品交換が終了して、手摺主体１を壁面Ｗに再取付する場合には、最初に壁面Ｗに止着されている固定座１２ａに対し手摺主体１における固定座収容凹窟１０ａを嵌合させる。最初に手摺を取付けた際に固定座１２ａは手摺主体１の固定座収容凹窟１０ａの位置に自動的に設定されているから、固定座収容凹窟１０ａの新たな位置決め等は必要なく固定座１２ａへの嵌合は容易である。次に固定ビス１９ａを取付板部５の基部通孔１１ａから固定座１２ａの固定ビス用螺孔１８ａに螺合して締付ければ、手摺の再取付が容易に遂行される。第３実施形態の取付装置は、一対のアンカー螺子８ａ，８ａが使用されているために、特に壁面Ｗの下地が比較的に柔らかい材料で構成されている場合でも充分な取付保持力を確保することが可能であり、また壁面Ｗに固定された固定座１２ａは回転することがないから、固定座１２ａが円形でない水平断面を有する場合には、固定座１２ａと取付けられた手摺主体１の一体性がより増強される。
【００２８】
図１６乃至図１８には第４実施形態が示される。第４実施形態もまた第１実施形態と同種の態様であって、把持棒部の端部に、終端において壁面への取付板部が形成されたブラケット部が曲成された取付装置に関する態様である。手摺主体１において壁面Ｗと並行し略円筒外面を有する把持棒部２の終端には、先端において壁面Ｗへの略長円形平面をなす取付板部５が形成されたブラケット部３が壁面Ｗに向けて曲成されており、また把持棒部２の端部からブラケット部３の全長にわたる外側半周面には、取付板部５を壁面に止着するアンカー具操作用空隙６が凹設されている凸面状凹陥部７が形成されており、凸面状凹陥部７上に手摺の滑らかな外表面を現出するように略円弧状断面で取外し可能なキャップ４が被覆され適宜の係止手段により係着されている点では第１実施形態と同様である。第４実施形態での壁面Ｗへの取付装置について説明すると、手摺主体１において取付板部５の裏面側には、固定座収容凹窟１０ｂが形成され、固定座収容凹窟１０ｂに於ける取付板部５の一側、さらに詳細には把持棒部２の長さ方向外側には壁面Ｗへのアンカー具であるアンカー螺子８ｂを操作するための取付板部５の表面に通じる作業用窓９ｂが穿設されると共に、固定座収容凹窟１０ｂに於ける取付板部５の他側、さらに詳細には手摺主体１の長さ方向内側には取付板部５の表面に通じている固定ビス１９ｂ用の基部通孔１１ｂが穿孔されている。
【００２９】
そしてこの固定座収容凹窟１０ｂに嵌合される固定座１２ｂは、固定座収容凹窟１０ｂに嵌合する外形を有し、一側には取付板部５の作業用窓９ｂに符合し表裏方向に貫通するアンカー具締付孔４１ｂが穿設されると共に、他側には表裏方向に取付板部５の基部通孔１１ｂに符合する固定ビス用螺孔１８ｂが設けられている。出荷状態の製品では、固定座１２ｂが手摺主体１における固定座収容凹窟１０ｂに嵌合され、固定ビス１９ｂが取付板部５の基部通孔１１ｂから固定座１２ｂの固定ビス用螺孔１８ｂに螺合して締付けられた状態で用意されることが好ましい。
【００３０】
第４実施形態の手摺を壁面Ｗに設置する方法も第１実施形態とほぼ同様であって、キャップ４を外した製品の取付板部５を壁面Ｗの設置個所に当接し、作業用窓９ｂを通じて固定座１２ｂのアンカー具締付孔４１ｂをアンカー螺子８ｂの取付位置に合致させた上で、アンカー螺子８ｂを壁面Ｗに対して締付ける。アンカー具締付孔４１ｂが手摺主体１と一体化された状態で壁面Ｗに位置決めされ、且つアンカー螺子８ｂが止着されるので、固定座を手摺主体から分離して壁面に取付ける場合のように手摺主体に対するアンカー具の位置の誤りを生じることがなく、アンカー螺子８ｂの締付けは容易である。壁面取付の終了した手摺主体１にはキャップ４を被覆係着して手摺取付作業は終了する。手摺を一時的に取外す場合には、キャップ４を外した手摺主体１における取付板部５の基部通孔１１ｂ上の固定ビス１９ｂを緩めて取外し、アンカー螺子８ｂで壁面Ｗに止着されている固定座１２ｂを壁面Ｗ上に残留させたまま取付板部５の固定座収容凹窟１０ｂから固定座１２ｂを脱嵌合させて手摺主体１を取外す。
【００３１】
締付けられたアンカー螺子８ｂは壁面Ｗから抜去されないので、抜去による建物のアンカー具挿入孔壁の崩壊が生じることがない。壁面Ｗにはわずかに固定座１２ｂが残留するのみで衛生器具の修理や新品交換に支障を生じることがない。衛生器具の修理や新品交換が終了して、手摺主体１を壁面Ｗに再取付する場合には、最初に壁面Ｗに止着されている固定座１２ｂに対し手摺主体１における固定座収容凹窟１０ｂを嵌合させる。最初に手摺を取付けた際に固定座１２ｂは手摺主体１の固定座収容凹窟１０ｂの位置に自動的に設定されているから、固定座収容凹窟１０ｂの新たな位置決め等は必要なく、固定座１２ｂへの嵌合は容易である。次に固定ビス１９ｂを取付板部５の基部通孔１１ｂから固定座１２ｂの固定ビス用螺孔１８ｂに螺合して締付ければ、手摺の再取付が容易に遂行される。第４実施形態の取付装置は、それぞれ１本の固定用ビス１９ｂとアンカー螺子８ｂのみの締付けで取付が行われるために施工が簡素化される。
【００３２】
図１９乃至図２１には第５実施形態が示される。第５実施形態も同様に第１実施形態と同種の態様であって、把持棒部の端部に、終端において壁面への取付板部が形成されたブラケット部が曲成された取付装置に関する態様である。手摺主体１において壁面Ｗと並行し略円筒外面を有する把持棒部２の終端には、先端において壁面Ｗへの取付板部５が形成されたブラケット部３が壁面Ｗに向けて曲成されており、また把持棒部２の端部からブラケット部３の全長にわたる外側半周面には、取付板部５を壁面に止着するアンカー具操作用空隙６が凹設されている凸面状凹陥部７が形成されており、凸面状凹陥部７上に手摺の滑らかな外表面を現出するように略円弧状断面で取外し可能なキャップ４が被覆され適宜の係止手段により係着されている点では第１実施形態と同様である。第５実施形態での壁面Ｗへの取付装置について説明すると、手摺主体１において取付板部５の裏面側には、固定座収容凹窟１０ｃが形成され、固定座収容凹窟１０ｃに於ける取付板部５には壁面Ｗへのアンカー具であるアンカー螺子８ｃを操作するための取付板部５の表面に通じる作業用窓９ｃが穿設されると共に、固定座収容凹窟１０ｃに於いて内側面、さらに詳細には把持棒部２の長さ方向に於ける外側の内側面には取付板部５の外側面に通じる固定ビス１９ｃ用の基部通孔１１ｃが穿孔されている。
【００３３】
そしてこの固定座収容凹窟１０ｃに嵌合される固定座１２ｃは、固定座収容凹窟１０ｃに嵌合する外形を有し、取付板部５の作業用窓９ｃに符合し表裏方向に貫通するアンカー具締付孔４１ｃが穿設されると共に、基部通孔１１ｃに符合する固定ビス用螺孔１８ｃがアンカー具締付孔４１ｃと垂直方向に形成されている。出荷状態の製品では、固定座１２ｃが手摺主体１における固定座収容凹窟１０ｃに嵌合され、固定ビス１９ｃが取付板部５の基部通孔１１ｃから固定座１２ｃの固定ビス用螺孔１８ｃに螺合されて締付けられた状態で用意されることが好ましい。
【００３４】
第５実施形態の手摺を壁面Ｗに設置する方法も第１実施形態とほぼ同様であって、キャップ４を外した製品の取付板部５を壁面Ｗの設置個所に当接し、作業用窓９ｃを通じて固定座１２ｃのアンカー具締付孔４１ｃをアンカー螺子８ｃの取付位置に合致させた上で、アンカー螺子８ｃを壁面Ｗに対して締付ける。アンカー具締付孔４１ｃが手摺主体１と一体化された状態で壁面Ｗに位置決めされ、且つアンカー螺子８ｃが止着されるので、固定座を手摺主体から分離して壁面に取付ける場合のように手摺主体に対するアンカー具の位置の誤りを生じることがなく、アンカー螺子８ｃの締付けは容易である。壁面取付の終了した手摺主体１にはキャップ４を被覆係着して手摺取付作業は終了する。手摺を一時的に取外す場合には、キャップ４を外した手摺主体１における取付板部５の基部通孔１１ｃ上の固定ビス１９ｃを緩めて取外し、アンカー螺子８ｃで壁面Ｗに止着されている固定座１２ｃを壁面Ｗ上に残留させたまま取付板部５の固定座収容凹窟１０ｃから固定座１２ｃを脱嵌合させて手摺主体１を取外す。
【００３５】
締付けられたアンカー螺子８ｃは壁面Ｗから抜去されないので、抜去による建物のアンカー具挿入孔壁の崩壊が生じることがない。壁面Ｗにはわずかに固定座１２ｃが残留するのみで衛生器具の修理や新品交換に支障を生じることがない。衛生器具の修理や新品交換が終了して、手摺主体１を壁面Ｗに再取付する場合には、最初に壁面Ｗに止着されている固定座１２ｃに対し手摺主体１における固定座収容凹窟１０ｃを嵌合させる。最初に手摺を取付けた際に固定座１２ｃは手摺主体１の固定座収容凹窟１０ｃの位置に自動的に設定されているから、固定座収容凹窟１０ｃの新たな位置決め等は必要なく、固定座１２ｃへの嵌合は容易である。次に固定ビス１９ｃを取付板部５の基部通孔１１ｃから固定座１２ｃの固定ビス用螺孔１８ｃに螺合して締付ければ、手摺の再取付が容易に遂行される。第５実施形態の取付装置では、固定ビス１９ｃが手摺の引抜き方向と垂直に締付けられているから引抜きに対する耐力を増加させることができると共に、固定座１２ｃの表裏方向にはアンカー具締付孔４１ｃのみ存在するので固定座１２ｃを小型化することが可能であり、同時に取付板部５を含むブラケット部３を小型化することができるから、ブラケット部を小さく見せるデザインが可能である。
【００３６】
【発明の効果】
本発明は、次のような効果を奏する。
Ａ．把持棒部の端部に、終端において壁面への取付板部が形成されたブラケット部が曲成された取付装置では、最初に手摺を取付ける場合に、固定座が手摺主体と一体化された状態で用意されるので、固定座を手摺主体から分離して壁面に取付ける場合のように手摺主体に対するアンカー具の位置の誤りを生じることがない。取付板部から作業用窓を通じて固定座のアンカー具締付筒部またはアンカー具締付孔を望むことができ、且つ作業用窓を利用して締付作業を行うことができるから、アンカー具の締付けは容易である。
Ｂ．把持棒部の端部に、終端において壁面への取付板部が形成されたブラケット部が曲成された取付装置では、手摺主体を一時的に壁面から取外す場合に、取付板部の基部通孔上の固定ビスを緩めて取外し、アンカー具で壁面に止着されている固定座を壁面上に残留させたまま取付板部の固定座収容凹窟から固定座を脱嵌合させて手摺主体を取外すことができる。したがって締付けられたアンカー具は壁面から抜去されないので、アンカー具の抜去による建物のアンカー具挿入孔壁の崩壊が生じることがない。壁面にはわずかに固定座が残留するのみで衛生器具の修理や新品交換に支障を生じることがない。
【００３７】
Ｃ．把持棒部の端部に、終端において壁面への取付板部が形成されたブラケット部が曲成された取付装置では、手摺主体を壁面に再取付する場合には、最初に壁面に止着されている固定座に対し手摺主体における固定座収容凹窟を嵌合させる。最初に手摺を取付けた際に固定座は手摺主体の固定座収容凹窟の位置に自動的に設定されているから、固定座の固定座収容凹窟に対する位置決め等は必要とせず固定座の嵌合は容易である。次に固定ビスを取付板部の基部通孔から固定ビス用螺孔に螺合して締付ければ、手摺の再取付が容易に遂行される。
Ｄ．把持棒部の端部に、終端において壁面への取付板部が形成されたブラケット部が曲成された取付装置で、一対のアンカー具が使用されている態様では、特に壁面の下地が比較的に柔らかい材料で構成されている場合でも充分な取付保持力を確保することが可能であり、また壁面に固定された固定座は回転することがないから、固定座が円形でない水平断面を有する場合には、固定座と手摺主体の一体性がより増強される。
【００３８】
Ｅ．把持棒部の端部に、終端において壁面への取付板部が形成されたブラケット部が曲成された取付装置で、それぞれ１本の固定用ビスとアンカー具のみを使用した態様では、締付け操作が少ないために施工が簡素化される。
Ｆ．把持棒部の端部に、終端において壁面への取付板部が形成されたブラケット部が曲成された取付装置で、固定ビスが手摺の引抜き方向と垂直に締め付けられている態様では、引抜きに対する耐力を増加させることができると共に、固定座の表裏方向にはアンカー具締付孔のみ存在するので固定座を小型化することが可能であり、同時に取付板部を含むブラケット部を小型化することができるから、ブラケット部を小さく見せるデザインが可能である。
Ｇ．把持棒部の両端部に、終端において壁面への取付板部が形成されたブラケット部が曲成された取付装置では、手摺主体のすべてを一体的に製造され、力学的に丈夫な建築用手摺を安価に製造することができる。
【００３９】
Ｈ．Ｌ字状手摺における隅部ブラケットを使用する取付装置では、隅部ブラケットを一時的に壁面から取外す場合に、隅部取付板部の隅部基部通孔上の隅部固定ビスを緩めて取外し、隅部アンカー具で壁面に止着されている隅部固定座を壁面上に残留させたまま隅部取付板部の隅部固定座収容凹窟から隅部固定座を脱嵌合させて隅部ブラケットを取外すことができる。したがって締付けられた隅部アンカー具は壁面から抜去されないので、隅部アンカー具の抜去による建物の隅部アンカー具挿入孔壁の崩壊が生じることがない。壁面にはわずかに隅部固定座が残留するのみで衛生器具の修理や新品交換に支障を生じることがない。Ｌ字状手摺の末端部における取付装置を一時的に壁面から取外す場合は、前記Ｂ．のとおり壁面には固定座のみしか残留しないから、Ｌ字状手摺全体として近接する衛生器具の修理や新品交換に支障を生じることがない。
Ｉ．Ｌ字状手摺における隅部ブラケットを使用する取付装置では、隅部ブラケットを壁面に再取付する場合には、最初に壁面に止着されている隅部固定座に対し隅部ブラケットにおける隅部固定座収容凹窟を嵌合させる。最初に手摺を取付けた際に隅部固定座は隅部ブラケットの隅部固定座収容凹窟の位置に自動的に設定されているから、隅部固定座の隅部固定座収容凹窟に対する位置決め等は必要とせず隅部固定座の嵌合は容易である。次に隅部固定ビスを隅部取付金具の隅部固定ビス用螺孔に螺合して締付ければ、隅部ブラケットの再取付が容易に遂行される。
Ｊ．手摺主体は、無機繊維を混入して補強された合成樹脂によって一体的に成形されるので、充分な耐力を有する製品を容易に製造することができる。
【図面の簡単な説明】
【図１】本発明の第１実施形態を示す斜視図である。
【図２】第１実施形態の取付装置を示す分解斜視図である。
【図３】図２とは異なる方向から見た取付装置の分解斜視図である。
【図４】第１実施形態の取付状態における取付装置の断面図である。
【図５】第１実施形態の取付装置の底面図である。
【図６】第１実施形態の手摺主体取外し時の取付装置を示す断面図である。
【図７】本発明の第２実施形態を示す斜視図である。
【図８】第２実施形態における隅部ブラケットの分解斜視図である。
【図９】図８とは異なる方向から見た隅部ブラケットの分解斜視図である。
【図１０】第２実施形態の取付装置における隅部ブラケットの底面図である。
【図１１】同様に隅部ブラケットの隅部固定ビス締付け箇所における断面図である。
【図１２】同様に隅部ブラケットに収容される隅部固定座の取付状態を示す断面図である。
【図１３】第３実施形態の取付装置を示す分解斜視図である。
【図１４】第３実施形態の取付状態における取付装置の断面図である。
【図１５】第３実施形態の取付装置の底面図である。
【図１６】第４実施形態の取付装置を示す分解斜視図である。
【図１７】第４実施形態の取付状態における取付装置の断面図である。
【図１８】第４実施形態の取付装置の底面図である。
【図１９】第５実施形態の取付装置を示す分解斜視図である。
【図２０】第５実施形態の取付状態における取付装置の断面図である。
【図２１】第５実施形態の取付装置の底面図である。
【符号の説明】
１  手摺主体
２  把持棒部
３  ブラケット部
５  取付板部
８、８ａ、８ｂ、８ｃ  アンカー具
９、９ａ、９ｂ、９ｃ  作業用窓
１０、１０ａ、１０ｂ、１０ｃ  固定座収容凹窟
１１、１１ａ、１１ｂ、１１ｃ  基部通孔
１２、１２ａ、１２ｂ、１２ｃ  固定座
１３  取付金具収容環状凹窟
１４  アンカー具締付筒部
１５  中間部通孔
１６  取付金具
１７  金具通孔
１８、１８ａ、１８ｂ、１８ｃ  固定ビス用螺孔
１９、１９ａ、１９ｂ、１９ｃ  固定ビス
２３  隅部ブラケット
２４  支持突起
２５  隅部支持体部
２６  隅部取付板部
２７  隅部固定座収容凹窟
２８  隅部固定ビス
２９  隅部基部通孔
３０  隅部固定座
３１  隅部取付金具収容凹窟
３２  隅部アンカー具締付孔
３３  隅部中間部通孔
３５  隅部取付金具
３６  隅部固定ビス用螺孔
３７  隅部アンカー具
４１ａ、４１ｂ、４１ｃ  アンカー具締付孔
【図１】
0004202591.tif 000002
【図２】
0004202591.tif 000003
【図３】
0004202591.tif 000004
【図４】
0004202591.tif 000005
【図５】
0004202591.tif 000006
【図６】
0004202591.tif 000007
【図７】
0004202591.tif 000008
【図８】
0004202591.tif 000009
【図９】
0004202591.tif 000010
【図１０】
0004202591.tif 000011
【図１１】
0004202591.tif 000012
【図１２】
0004202591.tif 000013
【図１３】
0004202591.tif 000014
【図１４】
0004202591.tif 000015
【図１５】
0004202591.tif 000016
【図１６】
0004202591.tif 000017
【図１７】
0004202591.tif 000018
【図１８】
0004202591.tif 000019
【図１９】
0004202591.tif 000020
【図２０】
0004202591.tif 000021
【図２１】
0004202591.tif 000022